(57)【特許請求の範囲】
【請求項１】
第１のカム従動部が取り付けられたシャープペンシル書記部材と、
第２のカム従動部が取り付けられたボールペン書記部材と、
前記シャープペンシル書記部材および前記ボールペン書記部材それぞれの下側部分を収容する下軸筒と、
前記下軸筒と一体化されて、前記シャープペンシル書記部材および前記ボールペン書記部材を個々に保持する縦方向溝状部および、シャープペンシル書記モードを芯繰り出し用の有効なノック操作が可能な状態で設定するための回動阻止部を備えた仕切筒と、
前記第１のカム従動部および前記第２のカム従動部のそれぞれを案内して前記シャープペンシル書記モードおよびボールペン書記モードを選択的に設定する機能を備え、第１の方向への回動により設定された当該シャープペンシル書記モードを解除する操作に基づいて、当該第１の方向とは逆の第２の方向に回動し、それまでの当該第１のカム従動部との係止状態から離脱するカム作用部を備え、かつ、前記シャープペンシル書記モードの設定最終段階で前記回動阻止部と当接する回動位置被規制部を備えた円筒カムと、
前記円筒カムを内部に保持して回動可能な上軸筒と、
前記円筒カムおよび前記上軸筒と一体化された摩擦係合部材と、
前記摩擦係合部材と摩擦係合して、前記第１の方向および前記第２の方向への回動操作ならびに前記シャープペンシル書記モードにおける芯出しノック操作の対象となる操作部材と、
前記上軸筒および前記操作部材の一方に設けられた被ガイド部材と、
前記上軸筒および前記操作部材の他方に形成されて、前記被ガイド部材に対する縦方向長孔部および横方向短孔部からなるガイド用のＬ字状孔部と、を有し、
前記第１のカム従動部および前記カム作用部はそれぞれ、
前記第２の方向への前記シャープペンシル書記モードの解除操作に基づいて当該カム作用部が当該第１のカム従動部とのそれまでの係止状態から回動して離脱するときのタイミングを、前記被ガイド部材が当該解除操作前の前記横方向短孔部の位置から前記縦方向長孔部の位置へと相対的に移行するまで遅延させる、ための遅延用カム面を有している、
ことを特徴とする伸縮式の回動操作多機能筆記具。
【請求項２】
前記回動阻止部は、
前記シャープペンシル書記部材を保持する前記縦方向溝状部の前記第１の方向の奥側を構成する、高仕切部の側面上部分であり、
前記回動位置被規制部は、
前記円筒カムの内周面に形成された凸状部である、
ことを特徴とする請求項１記載の伸縮式の回動操作多機能筆記具。
【請求項３】
前記第１のカム従動部の第１の前記遅延用カム面は、
三角形状の一対の斜面における前記第２の方向の手前側の、当該斜面の奥側よりも縦方向に急傾斜のカム従動部急斜面であり、
前記カム作用部の第２の前記遅延用カム面は、
凹み部の一対の内側面における前記第２の方向の手前側の、前記カム従動部急斜面に対応して当該内側面の奥側よりも縦方向に急傾斜のカム作用部急斜面である、
ことを特徴とする請求項１または２記載の伸縮式の回動操作多機能筆記具。
【請求項４】
前記摩擦係合部材は、
前記操作部材の内周面と摩擦係合する外側への広がり部分を備えた板バネ部材である、
ことを特徴とする請求項１乃至３のいずれか１項に記載の伸縮式の回動操作多機能筆記具。
【発明の詳細な説明】
【技術分野】
【０００１】
本発明は、操作部材の縦方向スライド操作により全体を伸縮でき、かつ、操作部材の回動操作によりシャープペンシルおよびボールペン（黒，赤）の各書記部を選択的に露出させて筆記可能状態に設定できる伸縮式の回動操作多機能筆記具に関する。
【０００２】
特に、回動操作によりシャープペンシル書記モードを設定した場合には操作部材のスライド動作が必ず阻止されてその後の芯繰り出し用の操作部材ノック操作により確実にシャープペンシルの芯出しがおこなわれ、また、設定時とは逆方向への回動操作によってのみシャープペンシル書記モードを解除でき、この解除操作の場合には操作部材が元のスライド可能状態に必ず復帰するようにした伸縮式の回動操作多機能筆記具に関する。
【０００３】
なお、本明細書において、
・「静止モード」とは、シャープペンシルおよびボールペン（黒，赤）の各書記部（先端側の筆記部分）がすべて先金の内部に没入されて筆記できない状態を示し、
・「書記モード」とは、シャープペンシルおよびボールペン（黒，赤）のいずれかの書記部が先金から露出している筆記可能状態を示し、
・「下，先」とは、回動操作多機能筆記具の先金側（図１〜図８の下側）を示し、
・「上，後」とは、操作部材のノック操作部側（図１〜図８の上側）を示し
・「縦方向」とは上軸筒，下軸筒の長手方向（図１〜図８の上下方向）を示し、
・「横方向」とは上軸筒，下軸筒の幅方向（図１〜図８の左右方向）を示している。
【背景技術】
【０００４】
従来、シャープペンシルおよびボールペンを対象として、操作部材の縦方向スライド操作により筆記具全体を伸縮できる回動操作タイプの多機能筆記具は提案されている（例えば後述の特許文献１参照）。
【０００５】
この多機能筆記具においても本件実施形態と同じように、上部軸ケース（本件の操作部材に相当）にスライド動作用の縦方向の切欠部（本件の長孔部に相当）とこれにガイドされる従動子（本件のピン部材に相当）とを設け、この上部軸ケースを下部軸ケースに対してスライドさせることにより筆記具を伸状態に移行させている。
【０００６】
この伸状態への移行後には切欠部の先端部分に続く鉤型屈曲部（本件の横孔部に相当）に従動子を係止させている。なお、この係止状態の設定にはスライド後の上部軸ケースを所定の正方向に回動することが必要と考えられる。
【０００７】
この係止状態が確保されることによりシャープペンシル書記モードでの上部軸ケースに対する芯出し用のノック操作が、当該上部軸ケースをスライドさせることなしに、有効に行われる。
【０００８】
なお、シャープペンシル書記モードおよびボールペン書記モードは、上部軸ケースとともに回動する作動カム（本件の円筒カムに相当）と、シャープペンシルおよびボールペンそれぞれのカム従動部とのカム作用により設定される。
【０００９】
ここで、筆記具の伸状態への移行後に上部軸ケースを上記正方向とは反対の逆方向に回動することによってもシャープペンシル書記モードが設定される。すなわち鉤型屈曲部に従動子が係止されない状態でのシャープペンシル書記モードの設定もありえる。
【００１０】
また、上部軸ケースを上述の正方向および逆方向のいずれに回動させてもボールペン書記モードまたはシャープペンシル書記モードは解除されえる。
【先行技術文献】
【特許文献】
【００１１】
【特許文献１】実公平０４−０４２１５４号公報
【発明の概要】
【発明が解決しようとする課題】
【００１２】
このように従来の伸縮式の回動操作多機能筆記具の場合、その伸状態が従動子と鉤型屈曲部とで係止されていなくても、シャープペンシル書記モードが設定可能である。
【００１３】
また、これとは逆に、回動操作多機能筆記具の伸状態が従動子と鉤型屈曲部とで係止されたままシャープペンシル書記モードやボールペン書記モードが解除されて静止モードに復帰することもありえる。
【００１４】
前者の場合、すなわち上記伸状態が従動子と鉤型屈曲部とで係止されずにシャープペンシル書記モードが設定される場合、利用者がそのまま上部軸ケースに対するシャープペンシルの芯繰り出し用のノック操作を行なったとしても、上部軸ケースが下部軸ケースの方にスライドして筆記具全体が短くなるだけで、シャープペンシルの芯は繰り出されないという問題点を有している。
【００１５】
また、後者の場合、すなわち上記伸状態が従動子と鉤型屈曲部とで係止されたままシャープペンシル書記モードやボールペン書記モードが解除される場合、そのままでは上部軸ケースを下部軸ケースの方にスライドさせて筆記具を縮状態に設定することができないという問題点を有している。
【００１６】
そこで本発明では、スライド式で回動タイプの操作部材を有する多機能筆記具において、先ずシャープペンシル書記モードを設定する際の操作部材の回動方向を第１の方向のみとし、このシャープペンシル書記モードを解除する際の操作部材の回動方向を第１の方向とは逆の第２の方向のみにしている。
【００１７】
また、この回動タイプの操作部材と、シャープペンシルおよびボールペンの各書記モード設定用の円筒カムとを摩擦係合を介して一体化することにより、この操作部材および円筒カムは原則として当該摩擦係合に基づいて双方向に一体回動し、特定状況下ではこの摩擦係合がいわば無効化されて操作部材の空回動となる、すなわち円筒カムの回動が阻止される形にしている。
【００１８】
なお、上述の特定状況下とは、
・シャープペンシル書記モードに移行する際の最終段階
・シャープペンシル書記モードから静止モードに復帰する際の初期段階
などである。
【００１９】
本発明は、このような操作部材の回動方向の特定化および、操作部材の特定状況下での空回動化により、シャープペンシル書記モードにおける確実な芯繰り出し用ノック操作および、シャープペンシル書記モード解除後の静止モードにおける確実な縮状態への移行動作をともに担保して、伸縮式の回動操作多機能筆記具における利用者の利便性の向上化を図ることを目的とする。
【課題を解決するための手段】
【００２０】
本発明は、以上の課題を次のようにして解決する。
（１）伸縮式の回動操作多機能筆記具において、
第１のカム従動部（例えば後述のカム従動部１２ａ）が取り付けられたシャープペンシル書記部材（例えば後述のシャープペンシル書記部材４）と、
第２のカム従動部が取り付けられたボールペン書記部材（例えば後述の赤ボールペンレフィール５，黒ボールペンレフィール６およびそれぞれのレフィールケース）と、
前記シャープペンシル書記部材および前記ボールペン書記部材それぞれの下側部分を収容する下軸筒（例えば後述の下軸筒８）と、
前記下軸筒と一体化されて、前記シャープペンシル書記部材および前記ボールペン書記部材を個々に保持する縦方向溝状部（例えば後述の縦方向溝状部１０ａ）および、シャープペンシル書記モードを芯繰り出し用のノック操作が可能な状態で設定するための回動阻止部（例えば後述の側面上部分１０ｄ）を備えた仕切筒（例えば後述の仕切筒１０）と、
前記第１のカム従動部および前記第２のカム従動部のそれぞれを案内して前記シャープペンシル書記モードおよびボールペン書記モードを選択的に設定する機能を備え、第１の方向（例えば後述のＣ方向）への回動により設定された当該シャープペンシル書記モードを解除する操作に基づいて、当該第１の方向とは逆の第２の方向（例えば後述のＤ方向）に回動し、それまでの当該第１のカム従動部との係止状態から離脱するカム作用部（例えば後述の凹状部１１ｄ）を備え、かつ、前記シャープペンシル書記モードの設定最終段階で前記回動阻止部と当接する回動位置被規制部（例えば後述の回動位置被規制用の突状部１１ｇ）を備えた円筒カム（例えば後述の円筒カム１１）と、
前記円筒カムを内部に保持して回動可能な上軸筒（例えば後述の上軸筒１３）と、
前記円筒カムおよび前記上軸筒と一体化された摩擦係合部材（例えば後述の一対の板バネ１６）と、
前記摩擦係合部材と摩擦係合して、前記第１の方向および前記第２の方向への回動操作ならびに前記シャープペンシル書記モードにおける芯出しノック操作の対象となる操作部材（例えば後述の操作部材２）と、
前記上軸筒および前記操作部材の一方に設けられた被ガイド部材（例えば後述のピン部材１４）と、
前記上軸筒および前記操作部材の他方に形成されて、前記被ガイド部材に対する縦方向長孔部（例えば後述の上下方向長孔部２ｂ）および横方向短孔部（例えば後述の横方向短孔部２ｃ）からなるガイド用のＬ字状孔部（例えば後述のＬ字状孔部２ａ）と、を有し、
前記第１のカム従動部および前記カム作用部はそれぞれ、
前記第２の方向への前記シャープペンシル書記モードの解除操作に基づいて当該カム作用部が当該第１のカム従動部とのそれまでの係止状態から回動して離脱するときのタイミングを、前記被ガイド部材が当該解除操作前の前記横方向短孔部の位置から前記縦方向長孔部の位置へと相対的に移行するまで遅延させる、ための遅延用カム面（例えば後述の急斜面１２ｂ，急斜面部分１１ｅ）を備えている。
（２）上記（１）において、
前記回動阻止部は、
前記シャープペンシル書記部材を保持する前記縦方向溝状部の前記第１の方向の奥側を構成する、高仕切部の側面上部分（例えば後述の側面上部分１０ｄ）であり、
前記回動位置被規制部は、
前記円筒カムの内周面に形成された凸状部（例えば後述の回動位置被規制用の凸状部１１ｇ）である。
（３）上記（１），（２）において、
前記第１のカム従動部の第１の前記遅延用カム面は、
三角形状の一対の斜面における前記第２の方向の手前側の、当該斜面の奥側よりも縦方向に急傾斜のカム従動部急斜面（例えば後述の急斜面１２ｂ）であり、
前記カム作用部の第２の前記遅延用カム面は、
凹み部の一対の内側面における前記第２の方向の手前側の、前記カム従動部急斜面に対応して当該内側面の奥側よりも縦方向に急傾斜のカム作用部急斜面（例えば後述の急斜面部分１１ｅ）である。
（４）上記（１）〜（３）において、
前記摩擦係合部材は、
前記操作部材の内周面と摩擦係合する外側への広がり部分を備えた板バネ部材（例えば後述の一対の板バネ１６）である。
【発明の効果】
【００２１】
本発明はこのように、シャープペンシル書記モードにおける確実な芯繰り出し用ノック操作および、シャープペンシル書記モード解除後の静止モードにおける確実な縮状態への移行動作をともに担保しているので、伸縮式の回動操作多機能筆記具における利用者の利便性の向上化を図ることができる。
【図面の簡単な説明】
【００２２】
【図１】伸縮式多機能筆記具の静止モードにおける伸縮各時の外観を示す説明図であり、(a)は操作部材が下方に設定された縮状態を示し、(b)は操作部材が上方に設定された伸状態を示している。
【図２】図１(a)の縮状態における伸縮式多機能筆記具の内部機構などを示す説明図であり、(a)は内部機構を示し、(b)は上軸筒側のピン部材と操作部材のＬ字状孔部との位置関係を示している。
【図３】シャープペンシル書記モード、すなわち操作部材のＣ方向への回動操作によりシャープペンシルを選択してその書記部が筆記位置に設定された段階、すなわち上軸筒側のピン部材がＬ字状孔部の横部分に係止されたロック状態を示し、(a)は内部機構を示し、(b)は円筒カムとシャープペンシル側のカム従動部との位置関係を示している。
【図４】図３のシャープペンシル書記モードを解除する際の初期段階、すなわち操作部材のみがＤ方向にいわば少しだけ空回動して、Ｌ字状孔部のピン部材が図３よりも横にずれただけの状態（円筒カムは回動せずに図３と同じ状態でシャープペンシル書記部はまだ筆記位置にとどまっている）を示している。
【図５】図４の初期段階に続く操作部材の更なるＤ方向への回動により円筒カムも回動してシャープペンシル書記部材に対するそれまでのカム係止作用が終了し、シャープペンシル書記部が先金の内部に没入した状態、すなわち図２と同様の静止モード（伸状態）を示している。
【図６】三種類の書記部材（シャープペンシル，黒ボールペン，赤ボールペン）を個々に区分けして保持する仕切筒の高柱状仕切部および低柱状仕切部などを示している。
【図７】円筒カムの係止用凹状部における各内側面の傾斜状態の違いを示している。
【図８】(a)は上軸筒，円筒カムおよびＬ字状孔部対応のピン部材の関連構造を示し、(b)はシャープペンシルの芯ケース，芯ケース尾栓および作動子の関連構造を示している。
【図９】(a)は図２のＡ-Ａ'線断面図を示し、(b)はＢ-Ｂ'線断面図を示している。
【発明を実施するための形態】
【００２３】
図１〜図９を用いて本発明を実施するための形態を説明する。
【００２４】
上述したように本発明は、伸縮式多機能筆記具におけるシャープペンシル書記モードの設定およびその解除における利便性を担保するものであるため、以下の説明ではもっぱら静止モードとシャープペンシル書記モードとの間における伸縮式多機能筆記具機構の動作を対象とする。
【００２５】
ボールペン使用時の筆記具機構の動作については特に説明しないが、周知の多機能筆記具と同じように、操作部材の回動操作に応じて黒ボールペン書記部および赤ボールペン書記部が選択的にその筆記位置に移動し、また、それぞれの復帰用コイルスプリングの作用で筆記位置から先金内部への没入位置へと自動復帰するのは勿論である。
【００２６】
なお、各図で用いるアルファベット付き参照番号の構成要素（例えばＬ字状孔部２ａ）は原則として、当該参照番号の数字部分の構成要素（例えば操作部材２）の一部であることを示している。
【００２７】
図１〜図９において、１はシャープペンシル，黒ボールペンおよび赤ボールペンの各書記機能を備えた伸縮タイプで回動操作式の多機能筆記具，
２は多機能筆記具１の上側に、回動操作可能で、上下方向にスライド可能な形で設定された筒状の操作部材，
２ａは当該操作部材の周面部分に形成されたガイド用のＬ字状孔部，
２ｂは当該Ｌ字状孔部を構成する上下方向長孔部，
２ｃは当該上下方向長孔部の下端側から延びる横方向短孔部，
２ｄは当該操作部材の上端側に螺子結合により取り付けられたシャープペンシルの芯送り出しノック操作用の天蓋部，
２ｅは当該操作部材の上端側に、Ｌ字状孔部２ａを覆って目立たないようにする形で固定された周知のクリップ，
３は多機能筆記具１の下端側に設けられた先金，
３ａは多機能筆記具１の回動操作に応じ、シャープペンシル，黒ボールペンおよび赤ボールペンの各書記部が選択的に突出して書記可能状態に設定される先端孔部，
４は周知のシャープペンシル書記部材，
４ａは送り出し対象の芯（図示省略）を収納した芯ケース，
４ｂは当該芯ケースの上端側に圧入された芯ケース尾栓，
４ｃは当該芯ケース尾栓の外周面に形成された係合用の環凹状部，
５は周知のレフィールケースに取り付けられた赤ボールペンレフィール
６は周知のレフィールケースに取り付けられた黒ボールペンレフィール
７は操作部材２の回動操作に応じて、シャープペンシル書記部材４をその筆記位置から先金３への没入位置に自動復帰させるためのコイルスプリング，
８はシャープペンシル書記部材４，赤ボールペンレフィール５および黒ボールペンレフィール６のそれぞれを収容した下軸筒，
９は下軸筒８の内周面上端部分と螺合している筒状の軸継手，
をそれぞれ示している。なお、上下方向長孔部２ｂの下端側は横方向短孔部２ｃの図示左端側でもある。
【００２８】
また、
１０は軸継手９の内周面に強く係合（嵌合）して当該軸継手と一体化され、シャープペンシル書記部材４ならびに赤ボールペンレフィール５および黒ボールペンレフィール６の各レフィールケースを個々に区分けして保持する仕切筒（図６参照），
１０ａはシャープペンシル，黒ボールペンおよび赤ボールペンの各書記部材を保持するための計三個の縦方向溝状部，
１０ｂはシャープペンシルおよび黒ボールペンそれぞれの当該縦方向溝状部の間に形成された高柱状仕切部，
１０ｃはシャープペンシルおよび赤ボールペンそれぞれの当該縦方向溝状部の間と、黒ボールペンおよび赤ボールペンそれぞれの当該縦方向溝状部の間とに形成された計二個の低柱状仕切部，
１０ｄは低柱状仕切部１０ｃよりも上方範囲の高柱状仕切部の側面上部分，
１０ｅは高柱状仕切部１０ｂおよび低柱状仕切部１０ｃの仕切筒部分よりも小径で、これら高柱状仕切部，低柱状仕切部から上方に延びる態様で形成された小径円柱状部，
１０ｆは当該小径円柱状部の上端側に形成された鍔状部，
１０ｇは当該小径円柱状部の下端部分から当該鍔状部の上端部分までの上下方向に連続形成されて、芯ケース尾栓４ｂの通過を許容する溝状の貫通部，
１０ｈはコイルスプリング７の下端側を受ける段部，
１１は仕切筒１０に対し回動可能で、操作部材２の回動操作に応動してシャープペンシル，黒ボールペンおよび赤ボールペンそれぞれの書記モードを選択的に設定する機能を備えた円筒カム（図３(b)，図７，図８(a)参照），
１１ａは当該円筒カムの下端面に形成されて少なくともシャープペンシルを書記モードに設定する機能を備えた第１の斜めカム面，
１１ｂは当該円筒カムの下端面に、当該第１の斜めカム面からこれとは（回動方向に対して）逆傾斜の略連続する態様で形成された第２の斜めカム面，
１１ｃは当該円筒カムの下端面に、当該第１および当該第２の各斜めカム面の上端部分間を接続する態様で形成された横方向カム面，
１１ｄは第１および第２の各斜めカム面１１ａ，１１ｂの下端部分間に形成された係止用の凹状部，
１１ｅは当該係止用の凹状部の一方の内側面であって、シャープペンシル書記部材４をその筆記位置から先金３への没入位置に復帰させる際に復帰遅延用カム面として作用する急斜面部分（傾斜角度：５〜１６度，図７参照），
１１ｆは凹状部１１ｄの他方の内側面を形成する緩斜面部分（傾斜角度：２０〜３５度，図７参照），
１１ｇは当該円筒カムの上側内周面に形成され、仕切筒１０の小径円柱状部１０ｅの外周面に対向した状態で低柱状仕切部１０ｃと鍔状部１０ｆとの間に入り込み、かつ、シャープペンシル書記モードの選択操作の最終段階で高柱状仕切部の側面上部分１０ｄに当接して当該円筒カムの回動を終了させる回動位置被規制用の突状部，
１１ｈは当該円筒カムの周面上端側部分に形成された第１の取付け用孔部，
をそれぞれ示している。
【００２９】
また、
１２は芯ケース４ａおよび芯ケース尾栓４ｂに圧入されて、円筒カム１１との間でカム作用を呈する筒状の（シャープペンシル用）作動子（図３(b)，図８(b)参照），
１２ａは当該作動子の外周面に形成された単一で三角形凸状のカム従動部，
１２ｂは当該カム従動部の一方側の斜面であって、円筒カム１１の急斜面部分１１ｅに対応した（シャープペンシル書記モードから静止モードへの）復帰遅延用カム面として作用する急斜面，
１２ｃは当該カム従動部の他方側の緩斜面，
１２ｄは当該作動子の内周面上端部分に形成されて芯ケース尾栓４ｂの環凹状部４ｃと係合する環凸状部，
１３は仕切筒１０および円筒カム１１などを収容し、操作部材２の回動操作に応じて当該円筒カムと一体化した形で回動する上軸筒，
１３ａは当該上軸筒の周面部分の、円筒カム１１の第１の取付け用孔部１１ｈと対応する箇所に形成された第２の取付け用孔部，
１３ｂは当該上軸筒の内周面上端部分に形成されたピン部材挿入用の孔部，
１３ｃは当該孔部とは反対側の内周面上端部分に形成された係合用の膨らみ部，
１３ｄは当該上軸筒の上端開口部に取り付けられた平行板状止栓，
１３ｅは当該平行板状止栓に形成されて膨らみ部１３ｃと係合する凹状部，
１４はその先端側部分がピン部材挿入用の孔部１３ｂから突出する態様で平行板状止栓１３ｄの内部に設定されて、上軸筒１３およびこれと一体の円筒カム１１を操作部材２の回動操作に連動させるためのピン部材，
１５は平行板状止栓１３ｄの内部に設定されて、ピン部材１４を外方向に付勢するためのコイルスプリング，
１６は操作部材２の内周面と上軸筒１３の外周面との間の環状空間域の対向部分に下側ほど外に広がる形で設けられて、当該操作部材の内周面と摩擦係合する一対の板バネ（図３，図４，図９参照），
１６ａは円筒カム１１の第１の取付け用孔部１１ｈおよび上軸筒１３の第２の取付け用孔部１３ａのそれぞれに取り付けられるＵ字状部分，
Ｃはシャープペンシル書記モードを設定するときの操作部材２の回動操作方向（＝多機能筆記具１をその上方からみて時計方向），
Ｄはシャープペンシル書記モードを解除するときの操作部材２の回動操作方向（＝多機能筆記具１をその上方からみて反時計方向），
をそれぞれ示している。
【００３０】
図１および図２の静止モードでは、シャープペンシル用作動子１２および赤ボールペン用作動子（赤ボールペン用作動子は図示省略）が円筒カム１１の第１，第２の斜めカム面１１ａ，１１ｂの同じ高さの部分に当接し、保持されている。また、黒ボールペン用作動子（図示省略）は円筒カム１１の横方向カム面１１ｃに当接し、保持されている。この当接，保持の位置関係は多機能筆記具１の伸縮いずれの状態においても担保される。
【００３１】
なお、図示していないが、黒ボールペン用作動子および赤ボールペン用作動子はそれぞれ、シャープペンシル用作動子１２と同様、個々のコイルスプリングの作用により上方向に付勢され、上述のように円筒カム１１のカム面に当接している。
【００３２】
また、黒ボールペン用作動子および赤ボールペン用作動子それぞれのカム従動部の両側の斜面はともにシャープペンシル用作動子１２の緩斜面１２ｃと略同じ角度で形成されている。
【００３３】
ここで、利用者が図１(a)，図２の多機能筆記具１を例えば図１(b)の伸状態に設定してから操作部材２をＣ方向（図３参照）に回動すると、シャープペンシル用作動子１２のカム従動部１２ａが円筒カム１１の凹状部１１ｄに係止されてシャープペンシル書記モードに移行する。
【００３４】
一方、利用者が図１(b)の操作部材２をＤ方向（図４参照）に回動すると、赤ボールペン作動子（図示省略）のカム従動部が円筒カム１１の凹状部１１ｄに係止されて赤ボールペン書記モードに移行する。
【００３５】
赤ボールペンの書記モードから操作部材２をさらにＤ方向に回動すると、赤ボールペン作動子のカム従動部が円筒カム１１の凹状部１１ｄから外れ、黒ボールペン作動子（図示省略）のカム従動部が当該凹状部に係止されて黒ボールペン書記モードに移行する。
【００３６】
この黒ボールペン書記モードの操作部材２をＣ方向に回動していくと、黒ボールペン書記モードから赤ボールペン書記モード，シャープペンシル書記モードへと順次移行する。
【００３７】
なお、このような操作部材２の回動操作により複数種類の書記部材の各書記モードに移行させるといった概念自体は周知である。
【００３８】
図１〜図９の伸縮式の回動操作多機能筆記具の基本的構成は、
(11)操作部材２の回動操作とリンクした円筒カム１１の回動に基づき、シャープペンシル書記部材４，赤ボールペンレフィール５および黒ボールペンレフィール６の各書記部のいずれかを先金３から選択的に突出させる多機能筆記具において、
(12)操作部材２のＬ字状孔部２ａが上軸筒１３のピン部材１４を案内し、
(13)板バネ１６が円筒カム１１および上軸筒１３を一体化し、
(14)操作部材２が板バネ１６と摩擦係合し、
(15)円筒カム１１の係止用凹状部１１ｄに、シャープペンシル書記モードの解除操作（＝操作部材２のＤ方向への回動操作）の初期段階でシャープペンシル用作動子１２のカム従動部１２ａとの係止状態を継続するための、急斜面部分１１ｅを形成し、
(16)カム従動部１２ａに、急斜面部分１１ｅに対応した急斜面１２ｂを形成し、
(17)円筒カム１１の内周面に、当該円筒カムの回動範囲を限定するための回動位置被規制用の突状部１１ｇを形成し、
(18)仕切筒１０に、シャープペンシル書記モードの設定操作（＝操作部材２のＣ方向への回動操作）の最終段階で回動位置被規制用の突状部１１ｇが当接する高柱状仕切部の側面上部分１０ｄを形成している、
ことなどである。
【００３９】
ここで円筒カム１１，上軸筒１３および板バネ１６はいわば一部材化している。そして操作部材２は、Ｌ字状孔部２ａおよびピン部材１４を介して上軸筒１３と連動し、かつ板バネ１６と摩擦係合している。
【００４０】
すなわち、操作部材２を回動操作すると、基本的には当該操作部材と摩擦係合状態の板バネ１６（および円筒カム１１，上軸筒１３との一部材）が同期した形で回動する。
【００４１】
ただ、操作部材２を上方向にスライドさせた多機能筆記具１の伸状態ではピン部材１４がＬ字状孔部２ａの横方向短孔部２ｃに位置する。このときのピン部材１４は横方向短孔部２ｃの中で移動可能である。
【００４２】
そのため、伸状態の操作部材２を回動操作するときの板バネ１６との摩擦力に打ち勝つだけの力が（板バネ１６との一部材である）円筒カム１１に作用する状況では、操作部材２が当該一部材（円筒カム１１，上軸筒１３，ピン部材１４，板バネ１６など）に対していわば空回動する。
【００４３】
すなわち、ピン部材１４は移動せずに、操作部材２が当該ピン部材に対して最大で横方向短孔部２ｃの長さ分だけ空回動する。
【００４４】
このような操作部材２の空回動が生じるのは、
(21)ピン部材１４が横方向短孔部２ｃの図示左端側に位置している図１(b)の静止モードの操作部材２がＣ方向に回動されてシャープペンシル書記モードに移行する際の最終段階と、
(22)ピン部材１４が横方向短孔部２ｃの図示右端側に位置している図３のシャープペンシル書記モードの操作部材２がＤ方向に回動されて静止モードに復帰する際の初期段階と、
である。
【００４５】
上記(21)の最終段階で操作部材２の空回動が生じるのは、当該操作部材と同期回動状態の円筒カム１１の回動位置被規制用の突状部１１ｇが仕切筒１０の高柱状仕切部の側面上部分１０ｄに当接してしまうからである。
【００４６】
この当接後に操作部材２のみが静止状態の円筒カム１１，上軸筒１３，ピン部材１４などに対してさらにＣ方向に回動する。
【００４７】
その結果、ピン部材１４は、横方向短孔部２ｃのそれまでの図示左端側位置から図示右端側位置へと相対的にシフトする（図３参照）。
【００４８】
このシフト後のピン部材１４は上下方向に対して操作部材２に固定されたことになり、当該操作部材に対するノック操作力は「ピン部材１４−上軸筒１３，円筒カム１１−作動子１２」を介してシャープペンシル書記部材４に確実に伝達される。
【００４９】
また、上記(22)の初期段階で操作部材２の空回動が生じるのは、図３のシャープペンシル書記モードを解除するために当該操作部材をＤ方向に回動させるときの、円筒カム１１の急斜面部分１１ｅとシャープペンシル用作動子１２の急斜面１２ｂとの係合力が強いからである（図３(b)，図７参照）。
【００５０】
このとき、円筒カム１１は急斜面部分１１ｅにシャープペンシル用作動子１２の急斜面１２ｂが係合したままの静止状態にとどまり、操作部材２は横方向短孔部２ｃの長さ分だけＤ方向に空回動する。
【００５１】
その結果、ピン部材１４は、横方向短孔部２ｃのそれまでの図示右端側位置から図示左端側位置、すなわち上下方向長孔部の下端位置へと相対的にシフトする（図４参照）。このシフト動作は、多機能筆記具１の縮状態設定のために必要となる。
【００５２】
ピン部材１４が横方向短孔部２ｃの図示左端側へと位置した後のＤ方向への回動操作に対しては勿論、当該ピン部材およびこれと一部材の円筒カム１１などは操作部材２と同期した状態でＤ方向に回動する。
【００５３】
そのため、シャープペンシル用のカム従動部１２ａは、コイルスプリング７の上方向への弾性力に抗しながら下動しつつ、円筒カム１１の係止用凹状部１１ｄから逃げて第１の斜めカム面１１ａとの当接状態に移行する（図５参照）。
【００５４】
図示の回動操作多機能筆記具１は以上のような基本的特徴を備えたものである。
以下、図１〜図５を中心に、多機能筆記具１がその静止モードからシャープペンシル書記モードを経て静止モードへと復帰するときの状態変化などを説明する。
【００５５】
図１および図２は回動操作多機能筆記具１の静止モード、すなわちシャープペンシル書記部材４，赤ボールペンレフィール５および黒ボールペンレフィール６がすべて先金３などの中に没入した状態である。
【００５６】
このとき、
(31)シャープペンシル書記部材４（芯ケース４ａ）に固定された作動子１２のカム従動部１２ａは円筒カム１１の斜めカム面１１ａに当接し、
(32)赤ボールペンレフィール５のケースに固定された作動子のカム従動部（図示省略）は円筒カム１１の斜めカム面１１ｂに当接し、
(33)黒ボールペンレフィール６のケースに固定された作動子のカム従動部（図示省略）は円筒カム１１の横方向カム面１１ｃに当接し、
(34)各作動子はコイルスプリング７など（シャープペンシル用以外は図示省略）の弾性作用により上方向に付勢され、
(35)円筒カム１１の回動位置被規制用の突状部１１ｇは、仕切筒１０の低柱状仕切部１０ｃに位置し、かつ上面部分が鍔状部１０ｆに当接している。
【００５７】
また、図１(a)の縮状態の操作部材２を上軸筒１３などに対して相対的に上方向にスライドさせることにより、多機能筆記具１は図１(b)の伸状態に移行する。
【００５８】
このスライド動作は、上軸筒１３と一体のピン部材１４と操作部材２のＬ字状孔部２ａとの間のガイド作用に基づき、また操作部材２と板バネ１６との間の摩擦係合力に抗する形のものである。
【００５９】
このスライド動作後の操作部材２は、板バネ１６との摩擦係合作用により伸状態位置に保持される。
【００６０】
また、上記(35)で述べたように円筒カム１１の回動位置被規制用の突状部１１ｇの上面部分が仕切筒１０の鍔状部１０ｆに当接しているので、円筒カム１１，上軸筒１３，ピン部材１４，板バネ１６などの一部材が仕切筒１０から上方向に外れることはない。
【００６１】
なお、ピン部材１４の取付けに際しては、当該ピン部材をコイルスプリング１５の弾性力に抗する形で内部に押し込んだ状態の平行板状止栓１３ｄを、上軸筒１３の上開口部に嵌めこむ。
【００６２】
図３は、図１(b)の伸状態静止モードの操作部材２を仕切筒１０などに対して相対的にＣ方向に回動操作することにより設定された、シャープペンシル書記モードである。
【００６３】
この操作部材２のＣ方向への回動操作にともない、
(41)操作部材２と板バネ１６との摩擦係合作用およびピン部材１４と上下方向長孔部２ｂとの係合作用により、（当該板バネと一体の）円筒カム１１もＣ方向に回動し、
(42)この円筒カム１１の回動により、図２(a)の位置にあったシャープペンシル用作動子１２のカム従動部１２ａが斜めカム面１１ａで押下げられながら最終的には凹状部１１ｄに係止され、
(43)この凹状部１１ｄにカム従動部１２ａが係止されるタイミングで、円筒カム１１の回動位置被規制用の突状部１１ｇが仕切筒１０の高柱状仕切部１０ｂの側面上部分１０ｄに当接して、それ以上の当該円筒カムおよび上軸筒１３などの一部材のＣ方向への回動が阻止され（図６参照）、
(44)この円筒カム回動阻止後の操作部材２のＣ方向への回動により、当該操作部材は、板バネ１６との摩擦係合力に抗する形でピン部材１４に対して当該Ｃ方向に単独移動し、
(45)この操作部材２の単独移動は、ピン部材１４が相対的に、図１(b)の位置すなわち横方向短孔部２ｃの左端位置から図３の右端位置に変わるまでの短時間続く。
【００６４】
上述したように、操作部材２をＣ方向に回動することにより、先ずこれと摩擦係合状態の円筒カム１１が連動してカム従動部１２ａを当該円筒カムの凹状部１１ｄに係止し、これに続いて操作部材２のみが円筒カム１１や上軸筒１３（ピン部材１４）に対していわば空回動し、最終的にピン部材１４が横方向短孔部２ｃの右端位置に設定されることが、図示の多機能筆記具１の特徴の一つである。
【００６５】
すなわち図３に示すように、シャープペンシル書記モードではピン部材１４がＬ字状孔部２ａの上下方向長孔部２ｂから外れた形になっている。
【００６６】
そのため、利用者が操作部材２の天蓋部２ｄを下方にノック操作したときにその操作力がピン部材１４，上軸筒１３，円筒カム１１，作動子１２（カム従動部１２ａ）を介してシャープペンシル書記部材４に確実に伝えられ、周知の芯繰り出し動作が行なわれる。
【００６７】
ピン部材１４がＬ字状孔部２ａの上下方向長孔部２ｂの下端部分に位置したままだと、天蓋部２ｄの下方へのノック操作に対して操作部材２のみが板バネ１６との摩擦係合力に抗する形で下動することになりやすい。この場合、シャープペンシル書記部材４の芯繰り出し動作が担保されない。
【００６８】
また、図３のシャープペンシル書記モードでは、赤ボールペンレフィール５および黒ボールペンレフィール６それぞれのカム従動部（ともに図示省略）は円筒カム１１の横方向カム面１１ｃに当接している。
【００６９】
図４は、図３の操作部材２を（Ｃ方向とは逆の）Ｄ方向に回動してシャープペンシル書記モードを解除する際の初期段階を示している。
【００７０】
図３の操作部材２がＤ方向に回動されると、本来、当該操作部材と板バネ１６との摩擦係合作用により上軸筒１３および円筒カム１１もＤ方向に同期回動する。
【００７１】
そして、シャープペンシル用作動子１２のカム従動部１２ａは、それまで係止されていた円筒カム１１の凹状部１１ｄから外れてコイルスプリング７の作用により斜めカム面１１ａに倣いながら上方に移動し、静止モード位置へ復帰する。
【００７２】
本件の多機能筆記具１の場合は、このカム従動部１２ａが凹状部１１ｄから外れるタイミングを遅延させる、すなわち操作部材２がＤ方向に回動された場合に先ず当該操作部材がいわば単独回動して、上軸筒１３および円筒カム１１などはすぐには当該操作部材と同期回動しないようにしている。
【００７３】
上軸筒１３および円筒カム１１などは操作部材２の回動開始からいわば遅延してＤ方向に当該操作部材と同期回動し始める。
【００７４】
このときの遅延間隔は、図３の操作部材２がＤ方向に単独回動することによりピン部材１４の当該操作部材との相対的位置が横方向短孔部２ｃの右端（図３参照）から左端（図４参照）へとシフトするまでの時間に相当している。
【００７５】
ここで、操作部材２が、Ｄ方向への回動操作の初期段階で板バネ１６との摩擦係合力に抗しながら上軸筒１３および円筒カム１１などと別に単独回動できるのは、上述したように当該円筒カムの凹状部１１ｄおよびこれに係止されるシャープペンシル用作動子１２のカム従動部１２ａそれぞれの書記モード解除用当接面を、当該回動操作に際して当該カム従動部がその係止中の当該凹状部から脱出しにくい形状に設定したからである。
【００７６】
すなわち、凹状部１１ｄの書記モード解除用当接面を急斜面部分１１ｅ（図７参照）の態様で形成するとともに、シャープペンシル用のカム従動部１２ａの書記モード解除用当接面を急斜面１２ｂ（図３(b)参照）の態様で形成している。
【００７７】
これにより、図３のシャープペンシル書記モードを解除するための操作部材２のＤ方向回動操作の際、当該操作部材と板バネ１６との摩擦係合力よりも、シャープペンシル用のコイルスプリング７の弾性力に基づいてカム従動部１２ａの急斜面１２ｂが凹状部１１ｄ（円筒カム１１）の急斜面部分１１ｅに当接した状態で押し留まろうとする力が大きくなるように設定されている。
【００７８】
図５は、シャープペンシル書記モードを解除して図１(b)と同様の静止モードに復帰した状態を示している。
【００７９】
操作部材２がＤ方向への上記単独回動により図４のピン部材１４との位置関係になるまで移行した後は、ピン部材１４も上下方向長孔部２ｂからＤ方向へと押される。そのため、ピン部材１４と一体の円筒カム１１も操作部材２と同期回動するしかない。
【００８０】
その結果、シャープペンシル用のカム従動部１２ａは、それまでの凹状部１１ｄとの係止状態から離脱して第１の斜めカム面１１ａに倣いながらコイルスプリング７の作用により上方向に移動し、静止モードへと復帰する。
【００８１】
このとき、赤ボールペンレフィール５用の周知のカム従動部（図示省略）は、第２の斜めカム面１１ｂに倣いながら、周知の赤ボールペン用コイルスプリング（図示省略）の弾性力に抗する形で下方向に静止モード位置まで移動する。
【００８２】
上述したように、シャープペンシル書記モードの操作部材２（図３参照）がＤ方向に回動操作されたとき、カム従動部１２ａがすぐに凹状部１１ｄから外れるのではなく、先ず急斜面部分１１ｅと急斜面１２ｂとのＤ方向への係合作用に基づいて当該操作部材のみが当該Ｄ方向へ空回動する。板バネ１６，上軸筒１３および円筒カム１１の一体物は回動しない。
【００８３】
この操作部材２の空回動によりピン部材１４が相対的に横方向短孔部２ｃの左端まで移行し（図４参照）、その後、カム従動部１２ａが凹状部１１ｄから外れる（図５参照）。
【００８４】
すなわち、必ずピン部材１４が上下方向長孔部２ｂの下端部分に位置する形で、図３のシャープペンシル書記モードから図５，図１(b)の静止モード（伸状態）に復帰する。この静止モード復帰時のピン部材１４の位置関係は図示の伸縮式多機能筆記具１の特徴の一つである。
【００８５】
静止モードに復帰した伸状態の多機能筆記具１は、その操作部材２の下方向へのスライド操作により図１(a)，図２の縮状態へと確実に設定される。
【００８６】
なお、仕切筒１０のシャープペンシル用の縦方向溝状部１０ａの上側に芯ケース尾栓４ｂが収容されえる溝状の貫通部１０ｇを形成して（図６参照）、赤ボールペンレフィール５および黒ボールペンレフィール６よりも長いシャープペンシルの芯（芯ケース４ａ）の保持スペースの上端側位置を積極的に後退させ、これにより多機能筆記具の縦方向の全長の短縮化を図っている。
【００８７】
ここで溝状の貫通部１０ｇに芯ケース尾栓４ｂが収容されるのは、シャープペンシル書記部材４が最も後退してそのカム従動部１２ａが横方向カム面１１ｃに当接した状態、すなわち赤ボールペン書記モード，黒ボールペン書記モードおよびこれらの中間の静止モードのときである。
【００８８】
以上の実施形態では、Ｌ字状孔部２ａを操作部材２に形成して外向きのピン部材１４を上軸筒１３に設ける態様にしているが、これとは逆に、Ｌ字状孔部を上軸筒に形成して内向きのピン部材を操作部材に設けるようにしてもよいことは勿論である。
【００８９】
また、赤ボールペンレフィール５と黒ボールペンレフィール６とを入れ換えてもよい。
【００９０】
また、ピン部材１４に代えて、Ｌ字状孔部２ａに案内される任意の形状の被ガイド部材を用いるようにしてもよい。
【符号の説明】
【００９１】
１：伸縮式の回動操作多機能筆記具
２：操作部材
２ａ：ガイド用のＬ字状孔部
２ｂ：上下方向長孔部
２ｃ：横方向短孔部
２ｄ：シャープペンシルノック操作用の天蓋部
２ｅ：クリップ
３：先金
３ａ：先端孔部
４：シャープペンシル書記部材
４ａ：芯ケース
４ｂ：芯ケース尾栓
４ｃ：係合用の環凹状部
５：赤ボールペンレフィール
６：黒ボールペンレフィール
７：シャープペンシル用のコイルスプリング
８：下軸筒
９：軸継手
１０：仕切筒
１０ａ：書記部材保持用の縦方向溝状部
１０ｂ：高柱状仕切部
１０ｃ：低柱状仕切部
１０ｄ：高柱状仕切部の側面上部分
１０ｅ：小径円柱状部
１０ｆ：鍔状部
１０ｇ：溝状の貫通部
１０ｈ：段部
１１：円筒カム
１１ａ：第１の斜めカム面
１１ｂ：第２の斜めカム面
１１ｃ：横方向カム面
１１ｄ：係止用の凹状部
１１ｅ：急斜面部分
１１ｆ：緩斜面部分
１１ｇ：回動位置被規制用の突状部
１１ｈ：第１の取付け用孔部
１２：シャープペンシル用の作動子，
１２ａ：カム従動部
１２ｂ：急斜面
１２ｃ：緩斜面
１２ｄ：係合用の環凸状部
１３：上軸筒
１３ａ：第２の取付け用孔部
１３ｂ：ピン部材挿入用の孔部
１３ｃ：係合用の膨らみ部
１３ｄ：平行板状止栓
１３ｅ：係合用の凹状部
１４：ピン部材
１５：ピン部材用のコイルスプリング，
１６：一対の板バネ
１６ａ：Ｕ字状部分
Ｃ：シャープペンシル書記モードを設定するときの操作部材の回動操作方向
Ｄ：シャープペンシル書記モードを解除するときの操作部材の回動操作方向
【図１】
0005305537.tif 000002
【図２】
0005305537.tif 000003
【図３】
0005305537.tif 000004
【図４】
0005305537.tif 000005
【図５】
0005305537.tif 000006
【図６】
0005305537.tif 000007
【図７】
0005305537.tif 000008
【図８】
0005305537.tif 000009
【図９】
0005305537.tif 000010